(57)【要約】【課題】発電装置の停止頻度を少なくしてしかも確実に逆潮流の発生を防止できる分散電源用発電装置の運転制御方法を提供する。【解決手段】商用電力系統から負荷に供給される順電力を測定する。そして測定した順電力が予め定めた設定値以下になると分散電源用発電装置の運転を停止する。設定値よりも上に不感帯領域を設定し、順電力が設定値と不感帯領域との間の下部領域にあるときには分散電源用発電装置から負荷への供給電力を減少させる。そして順電力が不感帯領域内にあるときには供給電力を一定とし、順電力が不感帯領域より大きい上部領域にあるときには供給電力を増加させるように分散電源用発電装置を運転する。【選択図】  図４
2004266940.tif 000002
【特許請求の範囲】
【請求項１】
商用電力系統に接続された分散電源用発電装置から前記商用電力系統に逆潮流電流が流れるのを防止するように前記分散電源用発電装置の運転を制御する分散電源用発電装置の運転制御方法であって、
前記商用電力系統から負荷に供給される順電力を測定し、
前記順電力が予め定めた設定値以下になると前記分散電源用発電装置の運転を停止し、
前記設定値よりも上に不感帯領域を設定し、前記順電力が前記設定値と前記不感帯領域との間の下部領域にあるときには前記分散電源用発電装置から前記負荷への供給電力を減少させ、前記順電力が前記不感帯領域内にあるときには前記供給電力を一定とし、前記順電力が前記不感帯領域より大きい上部領域にあるときには前記供給電力を増加させるように前記分散電源用発電装置を運転することを特徴とする分散電源用発電装置の運転制御方法。
【請求項２】
商用電力系統に並列接続された複数台の分散電源用発電装置から前記商用電力系統に逆潮流電流が流れるのを防止するように前記複数台の分散電源用発電装置の運転を制御する分散電源用発電装置の運転制御方法であって、
前記商用電力系統から負荷に供給される順電力を測定し、
前記順電力が予め定めた設定値以下になると前記複数台の分散電源用発電装置の運転を停止し、
前記設定値よりも上に不感帯領域を設定し、前記順電力が前記設定値と前記不感帯領域との間の下部領域にあるときには前記複数台の分散電源用発電装置から前記負荷への供給電力をそれぞれ減少させ、前記順電力が前記不感帯領域内にあるときには前記供給電力を一定とし、前記順電力が前記不感帯領域より大きい上部領域にあるときには前記供給電力を増加させるように前記複数台の分散電源用発電装置を運転することを特徴とする分散電源用発電装置の運転制御方法。
【請求項３】
前記上部領域を複数の増加領域に分け、前記順電力が前記上部領域内にあるときには、前記増加領域に応じて予め定めた増加割合で供給電力を増加させることを特徴とする請求項１または２に記載の分散電源用発電装置の運転制御方法。
【請求項４】
前記下部領域または前記上部領域において、予め定めた時間間隔で段階的に供給電力を増加または減少させることを特徴とする請求項３に記載の分散電源用発電装置の運転制御方法。
【請求項５】
前記分散電源用発電装置の台数に応じて前記不感帯領域の帯域幅を広げることを特徴とする請求項２に記載の分散電源用発電装置の運転制御方法。
【請求項６】
前記分散電源用発電装置の台数に応じて前記下部領域及び／又は前記上部領域の帯域幅が広げられている請求項２に記載の分散電源用発電装置の運転制御方法。
【請求項７】
前記設定値の下に断線検出領域を設定し、前記順電力が前記断線検出領域にあるときには断線の発生を警報することを特徴とする請求項１または２に記載の分散電源用発電装置の運転制御方法。
【請求項８】
直流電力を交流電力に変換する電力変換器及び前記電力変換器を制御する変換器制御回路を備えて商用電力系統に接続された負荷に電力を供給する分散電源用発電装置から前記商用電力系統に逆潮流電流が流れるのを防止するようにして前記分散電源用発電装置の運転を制御する分散電源用発電装置の運転制御装置であって、
前記商用電力系統から前記負荷への順電力を測定する順電力測定手段を備え、
前記順電力が予め定めた設定値以下になると前記分散電源用発電装置の運転を停止し、前記設定値よりも上に設定した不感帯領域と前記設定値との間の下部領域に前記順電力があるときには前記分散電源用発電装置から前記負荷への供給電力を減少させ、前記順電力が前記不感帯領域内にあるときには前記供給電力を一定とし、前記順電力が前記不感帯領域より大きい上部領域にあるときには前記供給電力を増加させるように前記電力変換器を制御するように前記変換器制御回路が構成されていることを特徴とする分散電源用発電装置の運転制御装置。
【請求項９】
直流電力を交流電力に変換する電力変換器及び前記電力変換器を制御する変換器制御回路を備えて商用電力系統に接続された負荷に電力をそれぞれ供給する複数台の分散電源用発電装置から前記商用電力系統に逆潮流電流が流れるのを防止するようにして前記複数台の分散電源用発電装置の運転を制御する分散電源用発電装置の運転制御装置であって、
前記商用電力系統から前記負荷への順電力を測定する順電力測定手段を備え、
前記複数台の分散電源用発電装置の前記変換器制御回路を、前記順電力が予め定めた設定値以下になると前記分散電源用発電装置の運転を停止し、前記設定値よりも上に設定した不感帯領域と前記設定値との間の下部領域に前記順電力があるときには前記分散電源用発電装置から前記負荷への供給電力を減少させ、前記順電力が前記不感帯領域内にあるときには前記供給電力を一定とし、前記順電力が前記不感帯領域より大きい上部領域にあるときには前記供給電力を増加させるように前記電力変換器を制御するようにそれぞれ構成したことを特徴とする分散電源用発電装置の運転制御装置。
【発明の詳細な説明】
【０００１】
【発明の属する技術分野】
本発明は、商用電力系統に逆潮流電流が流れるのを防止できる分散電源用発電装置の運転制御方法及び装置に関するものである。
【０００２】
【従来の技術】
従来は、分散電源用発電装置から商用電力系統に逆潮流電流が流れるのを防止するために、不足電力継電器を用いて負荷に供給する電力を監視し、負荷に供給する電力が予め定めた設定値以下になると逆潮流が発生する可能性があると判断して分散電源用発電装置の運転を停止している。
【０００３】
また特開２００２−２４７７６５［特許文献１］には、商用電力系統に接続された複数台の分散電源用発電装置の少なくとも１台で逆潮流の監視を行い、更に他の分散電源用発電装置と情報交換を行って、逆潮流を防止するように複数台の分散電源用発電装置の発電量を制御する技術が開示されている。
【０００４】
【特許文献１】特開２００２−２４７７６５［特許請求の範囲］
【０００５】
【発明が解決しようとする課題】
不足電力継電器を用いて負荷に供給する電力を監視して、逆潮流を防止する従来の技術では、商用電力系統から負荷に供給される電力が不足電力継電器の設定値付近にある場合には、発電装置を停止する回数が増し、発電効率が低下する問題が発生する。特に複数台の分散電源用発電装置を並列運転する場合には、不足電力継電器の設定値を大きくする必要があるために、さらに発電装置の停止頻度が増加して発電効率を低下させる。また発電装置が複数台になると、各発電装置間の負荷バランスが悪くなる問題がある。
【０００６】
これに対して特開２００２−２４７７６５に記載の技術では、確実に逆潮流を防止できるものの各発電装置間で通信を行う必要がある。
【０００７】
本発明の目的は、発電装置の停止頻度を少なくしてしかも確実に逆潮流の発生を防止できる分散電源用発電装置の運転制御方法及び装置を提供することにある。
【０００８】
本発明の他の目的は、複数台の分散電源用発電装置間で通信を行うことなく逆潮流の発生を防止して、しかも各発電装置間の負荷バランスを改善できる分散電源用発電装置の運転制御方法及び装置を提供することにある。
【０００９】
【課題を解決するための手段】
商用電力系統に接続された分散電源用発電装置から商用電力系統に逆潮流電流が流れるのを防止するように分散電源用発電装置の運転を制御する本発明の分散電源用発電装置の運転制御方法では、まず商用電力系統から負荷に供給される順電力を測定する。そして測定した順電力が予め定めた設定値以下になると分散電源用発電装置の運転を停止する。本発明では、特に、設定値よりも上に不感帯領域を設定し、順電力が設定値と不感帯領域との間の下部領域にあるときには分散電源用発電装置から負荷への供給電力を減少させる。そして順電力が不感帯領域内にあるときには供給電力を一定とし、順電力が不感帯領域より大きい上部領域にあるときには供給電力を増加させるように分散電源用発電装置を運転する。本発明のように不感帯領域を設定し、その上下の領域で分散電源用発電装置の出力を増減するように分散電源用発電装置を運転すると、分散電源用発電装置の出力を高い効率で活用することができ、しかも頻繁に発電装置を停止させることなく逆潮流の発生を防止することができる。特に不感帯領域を設けたので、必要以上に電圧変動が発生することを抑制することができる。また下部領域では、出力を徐々にまたは段階的に減少させるため、設定値を従来よりも小さい値に設定しても確実に逆潮流の発生を防止できる。また上部領域では発電装置の出力の増加量が大きいため、発電装置の出力効率を高めることができる。
【００１０】
分散電源用発電装置を複数台並列に商用電力系統に接続した場合にも上記の構成を採用すると、順電力に応じて各発電装置から負荷に供給する電力を大きな変動を生じさせることなく制御できるため各分散電源用発電装置間で通信を行わなくても並行運転時の負荷バランスを改善できる。
【００１１】
なお上部領域を複数の増加領域に分け、順電力が上部領域内にあるときには、増加領域に応じて予め定めた増加割合で供給電力を増加させるのが好ましい。
【００１２】
具体的には、順電力が大きくなるほど増加割合を増加させるようにする。このようにすると商用電力系統が健全なときで負荷が大電力を必要とする場合に、迅速に分散電源用発電装置から負荷に必要な電力を供給することができて、発電装置の発電効率を高めることができる。
【００１３】
下部領域または上部領域においては、予め定めた時間間隔で段階的に供給電力を増加または減少させるのが好ましい。このようにすると制御が容易になるだけでなく、電圧変動を抑制することができる。
【００１４】
なお分散電源用発電装置の台数に応じて不感帯領域の帯域幅を広げるのが好ましい。このようにすると複数台の分散用発電装置を並列運転する場合にも、負荷バランスを崩すことがない。
【００１５】
また分散電源用発電装置の台数に応じて下部領域及び／又は上部領域の帯域幅を広げるのが好ましい。このようにすると複数台の分散用発電装置を並列運転する場合の発電効率を高めることができる。
【００１６】
また設定値の下に断線検出領域を設定し、順電力が断線検出領域にあるときには断線の発生を警報するのが好ましい。
【００１７】
本発明の分散電源用発電装置では、直流電力を交流電力に変換する電力変換器及び前記電力変換器を制御する変換器制御回路を備えて商用電力系統に接続された負荷に電力を供給する分散電源用発電装置から商用電力系統に逆潮流電流が流れるのを防止するために、商用電力系統から負荷への順電力を測定する順電力測定手段を設ける。そして変換器制御回路を、順電力が予め定めた設定値以下になると分散電源用発電装置の運転を停止し、設定値よりも上に設定した不感帯領域と設定値との間の下部領域に順電力があるときには分散電源用発電装置から負荷への供給電力を減少させ、順電力が不感帯領域内にあるときには供給電力を一定とし、順電力が不感帯領域より大きい上部領域にあるときには供給電力を増加させるように電力変換器を制御するように構成する。複数台の分散電源用発電装置を並列運転する場合にも、個々の発電装置の変換器制御回路をこのように構成すればよい。
【００１８】
【発明の実施の形態】
以下図面に基づいて本発明の分散電源用発電装置の運転方法及び装置を実施する分散電源用発電システムの一例を詳細に説明する。図１は、２台の分散電源用発電装置１及び３から商用電力系統に接続された負荷Ｌに電力を供給する場合の本発明の実施の形態の構成を示すブロック図であり、図２は分散電源用発電装置１及び３の構成を示すブロック図である。分散電源用発電装置１及び３には、２台のエンジン発電機ＡＣＧ１及びＡＣＧ２から出力される交流電力をそれぞれ整流器ＲＥ１及びＲＥ２を用いて整流して得た直流電力が入力端子ＤＣ１及びＤＣ２にそれぞれ入力されている。２台のエンジン発電機ＡＣＧ１及びＡＣＧ２は、それぞれ定速で回転しており、整流器ＲＥ１及びＲＥ２からはほぼ一定の直流電圧が出力されている。商用電源ＡＣから三相交流電力が給電される商用電力系統ＣＬには負荷Ｌが接続されており、また商用電力系統ＣＬには各相の電圧Ｖ１〜Ｖ３と、商用電力系統ＣＬの三相電流のうちの二相分の電流を検出する変流器ＣＴ１及びＣＴ２の出力とを入力として商用電力系統ＣＬから負荷に供給される順電力を演算するためのトランスデューサＴＤが接続されている。トランスデューサＴＤは、電流Ｉ１及びＩ２と商用電力系統ＣＬの電圧Ｖ１〜Ｖ３に基づいて商用電力系統ＣＬから負荷Ｌに供給される順電力を演算する。
【００１９】
トランスデューサＴＤによって演算された順電力は、分散電源用発電装置１及び３の順電力信号入力端子ａ１及びａ２に入力される。
【００２０】
分散電源用発電装置１及び３は、それぞれ図２に示す構成を有している。すなわち分散電源用発電装置１及び３は、整流器ＲＥ１またはＲＥ２からの直流電力が入力される入力端子に接続されて直流電圧を所定の電圧値まで昇圧するＤＣ／ＤＣ変換器ＣＯＮＶと、ＤＣ／ＤＣ変換器ＣＯＮＶによって昇圧された直流電圧を商用電力系統と周波数及び電圧が等しく且つ位相が同期した三相交流電圧に変換して出力端子Ｕ，Ｖ，Ｗから出力する電力変換器としての三相インバータ回路ＩＮＶとを備えている。三相インバータ回路ＩＮＶと出力端子Ｕ，Ｖ，Ｗとの間には直列に二段の開閉器ＭＣ１及びＭＣ２が配置されている。これらの開閉器ＭＣ１及びＭＣ２は、三相インバータ回路ＩＮＶから出力端子Ｕ，Ｖ，Ｗへの三相交流電力の出力を遮断する際に変換器制御回路ＣＣからの指令で開動作をする。ＤＣ／ＤＣ変換器ＣＯＮＶ及び三相インバータ回路ＩＮＶは、変換器制御回路ＣＣから出力される制御信号ｇ１及びｇ２によって制御される。変換器制御回路ＣＣには、商用電力系統の電圧及び周波数の異常を検出する連系保護装置ＲＰＵからの出力と、トランスデューサＴＤによって演算された順電力をコンピュータ制御に適したデジタルの順電力信号Ｗ＿ｄｅｔに変換して出力する電力入力回路ＰＤＣの出力とが入力されている。変換器制御回路ＣＣは、連系保護装置ＲＰＵから商用電力系統の電圧及び周波数異常を示す異常検出信号Ｒを受信すると、開閉器ＭＣ１及びＭＣ２に開指令を出力して三相インバータ回路ＩＮＶからの出力を負荷Ｌに供給することを停止する。また変換器制御回路ＣＣは、電力入力回路ＰＤＣから入力される順電力信号Ｗ＿ｄｅｔに基づいて三相インバータ回路ＩＮＶに負荷に供給する電力量を制御するための制御信号即ち電力指令値Ｐｎを出力する。
【００２１】
変換器制御回路ＣＣは、図４に示したように、商用電力系統ＣＬから供給される順電力が予め定めた設定値（停止値）以下になると分散電源用発電装置１及び３の運転を停止し、設定値（停止値）よりも上に設定した不感帯領域と設定値との間の下部領域（減少領域）に順電力があるときには分散電源用発電装置１及び３から負荷Ｌへの供給電力を減少させ、順電力が不感帯領域内にあるときには供給電力を一定とし、順電力が不感帯領域より大きい上部領域（増加領域１または増加領域２）にあるときには供給電力を増加させるように三相インバータ回路ＩＮＶ（電力変換器）を制御する。
【００２２】
変換器制御回路ＣＣの構成は図３に示すとおりである。連系保護装置ＲＰＵからの異常検出信号Ｒは、入力回路ＩＣに入力されてデジタル信号に変換されて演算部ＯＰに入力される。またタイマ部ＴＭは、予め定めた複数種類のタイマ時間を周期的に計数して演算部ＯＰに出力する。演算部ＯＰはタイマ部ＴＭからのタイマ信号を入力として所定の判定を行う。記録部Ｍは、演算部ＯＰで使用する設定値、不感帯領域、下部領域（減少領域）、上部領域（増加領域１及び増加領域２）、後述する停止領域、断線検出値に関する情報を記憶している。出力回路ＯＣは演算部ＯＰにおける演算結果に基づいて、ＤＣ／ＤＣ変換器ＣＯＮＶ及び三相インバータ回路ＩＮＶ（電力変換器）の制御に必要な制御信号ｇ１及びｇ２を出力する。演算部ＯＰはマイクロコンピュータによって構成される。演算部ＯＰを構成するマイクロコンピュータは、図５に示すアルゴリズムに従って構成されたソフトウエアにより動作する。
【００２３】
演算部ＯＰの動作を図５のフローチャート及び図４を用いて説明する。トランスデューサＴＤの出力が電力入力回路ＰＤＣで変換された信号即ち順電力信号Ｗ＿ｄｅｔを演算部ＯＰに入力する（ステップＳＴ１）。ステップＳＴ２で順電力信号Ｗ＿ｄｅｔが設定値（停止値）より小さい場合は、ステップＳＴ３へと進んで電力指令値Ｐｎ＝０、タイマ時間Ｔ＝０とする（ステップＳＴ３）。これにより三相インバータ回路ＩＮＶからの出力は停止される。ステップＳＴ２で順電力信号Ｗ＿ｄｅｔが設定値（停止値）より大きい場合にはステップＳＴ４へと進む。
【００２４】
ステップＳＴ４で順電力信号Ｗ＿ｄｅｔが不感帯領域の下限値である目標値１より小さい場合はステップＳＴ１１へと進む。ステップＳＴ１１では、タイマ時間Ｔ＝０か否かの判断を行い、タイマ時間Ｔ＝０の場合には電力指令値をＰｎ＝Ｐｎ−１−ΔＰ１、タイマ時間Ｔ＝２ｓｅｃとする（ステップＳＴ１２）。ここでＰｎ−１は、前回の電力指令値であり、ΔＰ１は電力指令値の減少量を示す。したがってこの場合には、前回よりもΔＰ１だけ電力指令値を減少させる状態を２秒間継続する。減少量は並列接続される発電装置の台数に応じて変更するようにしてもよい。ステップＳＴ１１でタイマ時間Ｔ＝０でない場合には、そのときの電力指令値を維持する。
【００２５】
ステップＳＴ４で順電力信号Ｗ＿ｄｅｔが目標値１より大きい場合はステップＳＴ５へと進み、ステップＳＴ５では順電力信号Ｗ＿ｄｅｔが不感帯領域の上限値（不感帯値）より小さければ特別な処理を行わない。すなわちそのときの電力指令値が維持される。そしてステップＳＴ５で順電力信号Ｗ＿ｄｅｔが不感帯領域の上限値より大きいことが判断されるとステップＳＴ６へと進み、順電力信号Ｗ＿ｄｅｔが目標値２より小さいか否かが判定される。ステップＳＴ６で、順電力信号Ｗ＿ｄｅｔが目標値２よりも小さいときには、ステップＳＴ９へと進んでタイマ部ＴＭのタイマ時間Ｔが０か否かの判定がなされ、タイマ時間Ｔ＝０であればステップＳＴ１０へと進んでＰｎ＝Ｐｎ−１＋ΔＰ１、タイマ時間Ｔ＝２ｓｅｃの処理が行われる。この処理は、前回の電力指令値をΔＰ１だけ増加することを２秒間実施することである。タイマ時間Ｔ＝０でなければ、その時点における電力指令値を維持する。順電力信号Ｗ＿ｄｅｔが目標値２に達するまでは、電力指令値をΔＰ１ずつ増加することが２秒間隔で繰り返される。
【００２６】
ステップＳＴ６で、順電力信号Ｗ＿ｄｅｔが目標値２より大きくなったことが確認された後は、ステップＳＴ７へと進んでタイマ部ＴＭのタイマ時間Ｔが０か否かの判定がなされ、タイマ時間Ｔ＝０であればステップＳＴ８へと進んでＰｎ＝Ｐｎ−１＋ΔＰ１、タイマ時間Ｔ＝１ｓｅｃの処理が行われる。この処理は、前回の電力指令値をΔＰ１だけ増加することを１秒間実施することである。このことは順電力信号Ｗ＿ｄｅｔが目標値２より大きくなった後は、電力指令値の増加をその前よりも２倍の速さで実施することを意味する。タイマ時間Ｔ＝０でなければ、その時点における電力指令値を維持する。
【００２７】
ここで本実施の形態では、図４の設定値（停止値）、不感帯領域の上限値（不感帯値）、目標値１及び２は次のようにして定める。目標値１は、不感帯領域の下限値を示すもので、給電の対象とする負荷Ｌの大きさと運転台数に応じて定める。そして設定値（停止値）は、目標値をＰｘとした場合にＰｘ／２とする。また不感帯領域の上限値（不感帯値）については不感帯値＝目標値１＋ｎ×ΔＰ１とする。ここでｎは並列運転される発電装置の台数である。また目標値２は、目標値２＝不感帯値＋ｎ×ΔＰｏとする。ここでΔＰｏはオフセット値であり、このオフセット値は商用電力系統の負荷と全発電装置の出力電力の差により定める。
【００２８】
図１の２台の発電装置が停止している場合において、図４に示したように減少領域、不感帯領域、増加領域１及び２を設定した場合は、順電力信号Ｗ＿ｄｅｔが停止領域、減少領域、不感帯領域にあるときに、発電装置は停止状態を維持する。そして順電力信号Ｗ＿ｄｅｔが増加領域１及び２にある場合には、各増加領域に応じて定められた時間間隔で出力電力を増加しながら各発電装置は運転を開始する。電力の増加は発電装置の出力が最大出力電力に達するまで続けられる。
【００２９】
発電装置の運転が開始された後、順電力信号Ｗ＿ｄｅｔが不感帯領域に入った場合には、出力電力を一定に固定する。また順電力信号が減少領域に入ると、発電装置の出力電力を一定時間間隔で減少させる。また順電力信号が停止領域内まで減少したときには、各発電装置の運転を停止し、開閉器ＭＣ１及びＭＣ２を開路して各発電装置を商用電力系統から切り離すことにより、逆潮流の発生を防止する。このようにすると各発電装置の運転可能範囲を拡大することができる。特に、増加領域１及び２を設定して、各増加領域に応じて出力電力の増加量を大きくする（タイマの時間間隔を短くする）ことにより、商用電力系統の負荷と順電力の差が大きい場合でも、各発電装置の出力電力を短い時間に増加させることができる。なお減少領域を設けた上で、不感帯領域の幅（不感帯領域の上限値）を並列運転される発電装置の台数に応じて増加させると、軽負荷時に発電装置間の起動時間のずれが発生して各発電装置の出力電力指令値に差が生じても、各発電装置間の出力電力のバランスを容易に取ることができるようになる。図５には示していないが、また図４の例のように断線検出値を設定すると、順電力信号Ｗ＿ｄｅｔが停止領域の下の断線検出値以下になったときに、警報を発するようにすることができる。このようにするとトランスデューサと発電装置間の配線に断線が発生したことが、発電装置の停止原因であることを表示できるので、各発電装置が運転を停止した後の対応が容易になる。
【００３０】
上記実施の形態は、２台の発電装置を並列運転した場合の例である。しかし本発明が、１台の発電装置を用いる場合にも当然にして適用できるのは勿論である。
【００３１】
【発明の効果】
本発明によれば、不感帯領域を設定し、その上下の領域で分散電源用発電装置の出力を増減するように分散電源用発電装置を運転するので、分散電源用発電装置の出力を高い効率で活用することができ、しかも頻繁に発電装置を停止させることなく逆潮流の発生を防止することができる利点がある。特に不感帯領域を設けたので、必要以上に電圧変動が発生することを抑制することができる利点がある。また下部領域では、出力を徐々にまたは段階的に減少させるため、設定値（停止値）を従来よりも小さい値に設定しても確実に逆潮流の発生を防止できる。また上部領域では発電装置の出力を増加させるため、発電装置の出力効率を高めることができる。
【図面の簡単な説明】
【図１】２台の分散電源用発電装置から商用電力系統に接続された負荷に電力を供給する場合の本発明の実施の形態の構成を示すブロック図である。
【図２】分散電源用発電装置の構成を示すブロック図である。
【図３】変換器制御回路の構成を示すブロック図である。
【図４】計測範囲と不感帯領域を説明するために用いる図である。
【図５】制御フローを示すフローチャートである。
【符号の説明】
１，３  分散電源用発電装置
ＡＣＧ１，ＡＣＧ２  エンジン発電機
ＲＥ１，ＲＥ２  整流器
ＣＬ  商用電力系統
ＴＤ  トランスデューサ
ＣＴ１，ＣＴ２  電流を検出する変流器
Ｌ  負荷
ＣＯＮＶ  ＤＣ／ＤＣ変換器
ＩＮＶ  三相インバータ回路
ＭＣ１，ＭＣ２  開閉器
ＲＰＵ  連系保護装置
ＣＣ  変換器制御回路
ＰＤＣ  電力入力回路
ｇ１，ｇ２  制御信号
ＩＣ  入力回路
ＯＣ  出力回路
ＯＰ  演算部
ＴＭ  タイマ部
Ｍ  記録部
【図１】
2004266940.tif 000003
【図２】
2004266940.tif 000004
【図３】
2004266940.tif 000005
【図４】
2004266940.tif 000006
【図５】
2004266940.tif 000007